(57)【特許請求の範囲】
【請求項１】
上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すものであって、前記遊技盤面を２個並べて配置して構成したメダル投下形プッシャマシンにおいて、
前記隣設する遊技盤面のフィールドの間に設けられ、各遊技盤で特別入賞が発生したとき、発生した側の遊技盤面のフィールドに容器のメダルを払い出す機構であって、
前記メダルを払い出す機構は、容器の両側面に開閉扉を有し、特別入賞が発生した側の遊技盤面のフィールド側にメダルが滑り落ちるように傾斜させるとともに滑る落ちる側の扉を開口させることにより前記特別入賞が発生した側の遊技盤面のフィールドにメダルを払い出すように構成し、
前記開閉扉は、その一端が前記容器に回動可能に取り付けられ、他端側にバネが係止されて前記メダル払い出し機構が水平状態では前記バネの引っ張り力により閉じており、
前記容器はスライドベースに回動可能に支持され、
前記容器の傾斜により前記スライドベースに植設したピンが前記開閉扉の下縁を押すことにより前記バネに抗して開口するように構成したことを特徴とするメダル投下形プッシャマシンのメダル払い出し機構。
【発明の詳細な説明】
【０００１】
【発明の属する技術分野】
本発明は、メダル投下形プッシャマシンのメダル払い出し機構、さらに詳しくいえば、特別入賞が発生したとき、容器にストックされている多数のメダルをフィールドに払い出す機構に関する。
【０００２】
【発明が解決しようとする課題】
まず、図６，図７および図８を用いてメダル投下形プッシャマシンの構造および遊技の方法について説明する。
図６は、メダル投下型プッシャマシンの遊技盤面を取り出した斜視図、図７は遊技盤面の裏面側の斜視図である。
基板３５の前に透明板３６が配置され、基板３５の上部に設けられた２個のメダルガイド３７，３８から遊技者によって投入されるメダルが基板３５と透明板３６の間を落下するようになっている。
【０００３】
基板３５の中央の左右にはオープンチェッカ４２，４３が設けられ、メダルの通過を検知すると基板３５の中央に設けられているメダル通過チェッカ４０を開くようになっている。遊技者はメダルガイド３８よりメダルをオープンチェッカ４２，４３を狙って投入することとなる。
オープンチェッカ４２，４３をメダルが通過すると数秒間だけメダル通過チェッカ４０のウイング機構４ａが開き、メダルがメダル通過チェッカ４０に入り易くなる。
【０００４】
メダルがメダル通過チェッカ４０を通過すると、基板３５の中央上部に設けられているスロットリール用ディスプレイ装置３９の液晶モニタ上に表示されている３リールスロットがスタートし、一定時間経過後に左→右→中央の順で停止する。スロットの絵柄の出方によって入賞判定が行われる。入賞内容は例えば、所定の絵柄が揃えば、メダルを所定枚数フィールド（メダル押動板３３）に払い戻しする。また、ラッキー賞になると、所定の時間、基板３５の中央下部に設けたメダル流入機構４１のメダル捕捉板４７が図８に示すように前面に開口する。
投入されたメダルはピンハネ部４４，４５などで跳ね返されてメダルの多くはメダル流入機構４１に流入し、メダル流入毎に規定枚数のメダルがフィールドに払い戻される。
【０００５】
ラッキー賞になると同時に液晶モニタにストーリが表示され１ラウンド分のストーリが進行する。そして、所定のラウンドまでストーリが進行すると、特別入賞となり、メダル押動板３３の側部に設けられている図示しないメダル搭載ケースより多数のメダルがフィールドに払い戻される。
メダル押動板３３とメダル受け盤３２に多数のメダルが溜まっており、メダル押動板３３が矢印４６に示す方向に移動することにより、新たに払い出されたメダルにより他のメダルが押され、メダル受け盤３２に落ち、さらにメダル受け盤３２で他のメダルが押されて遊技者の元に払い出される。
なお、図６における３９ａはスロットリール表示用ディスプレイ装置３９の裏面側を，４２ａ，４３ａはオープンチェッカ４２，４３の裏面側を，４４ａ，４５ａはピンハネ部４４，４５の裏面側をそれぞれ示す。
【０００６】
上記メダル投下形プッシャマシンは遊技盤を２個並列に配置して構成されており、各遊技盤に対応してメダル搭載ケースがそれぞれ設けられている。
また、メダル搭載ケースに設けられている扉は通常、モータなどの駆動部分に連結されて開く構造であるので、手動では簡単に開かない構造であり、メンテナンスを行うには不都合であった。
本発明の課題は、遊技盤を２個並列に配置して構成したメダル投下形プッシャマシンにおいて、２つの遊技盤のメダル払い出しに対応でき、しかもメダルをストックする容器の扉を手動で開閉可能にすることによりメンテナンスにおける作業性を向上させたメダル投下形プッシャマシンのメダル払い出し機構を提供することにある。
【０００７】
【課題を解決するための手段】
前記課題を解決するために本発明によるメダル投下形プッシャマシンのメダル払い出し機構は、上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すものであって、前記遊技盤面を２個並べて配置して構成したメダル投下形プッシャマシンにおいて、前記隣設する遊技盤面のフィールドの間に設けられ、各遊技盤で特別入賞が発生したとき、発生した側の遊技盤面のフィールドに容器のメダルを払い出す機構であって、前記メダルを払い出す機構は、容器の両側面に開閉扉を有し、特別入賞が発生した側の遊技盤面のフィールド側にメダルが滑り落ちるように傾斜させるとともに滑る落ちる側の扉を開口させることにより前記特別入賞が発生した側の遊技盤面のフィールドにメダルを払い出すように構成し、前記開閉扉は、その一端が前記容器に回動可能に取り付けられ、他端側にバネが係止されて前記メダル払い出し機構が水平状態では前記バネの引っ張り力により閉じており、前記容器はスライドベースに回動可能に支持され、前記容器の傾斜により前記スライドベースに植設したピンが前記開閉扉の下縁を押すことにより前記バネに抗して開口するように構成してある。
【０００８】
上記構成によれば、１つのメダル払い出し機構で２つの遊技盤に対応できるので、メダル払い出し機構を簡略化することができる。また、扉が手動で開閉できるので、メンテナンスの作業性も向上する。
【０００９】
【発明の実施の形態】
以下、図面を参照して本発明の実施の形態を詳しく説明する。
図１は、本発明によるメダル払い出し機構を適用したメダル投下形プッシャマシンの実施の形態を示す図で、（ａ）は正面図，（ｂ）は側面図である。
メダル投入形プッシャマシン７は２台の縦形遊技盤１より構成されている。縦形遊技盤１の上部にはスピーカ６が設けられている。メダル投入口２よりメダルを投入すると、縦形遊技盤１の基板と透明板の間を落下して行く。
【００１０】
縦形遊技盤の下側前面には、縦形遊技盤１に投入されたメダルによってフィールドに払い出され、さらにフィールドから押し出されたメダルを遊技者に払い出しするためのコインカップ５が設けられている。
メンテナンスのために前面の透明ドア４と、側面のメダル補充用透明ドア３とが開閉可能になっている。
２台の縦形遊技盤１は垂直にメダル投入形プッシャマシン７の筐体基部に取り付けられている。
本発明によるメダル払い出し機構８は２台の縦形遊技盤１のフィールドの中間位置に設けられ、いずれのフィールドに対しても払い出しが可能なようになっている。
【００１１】
図２は、本発明によるメダル払い出し機構の実施の形態を示す図で、（ａ）はターンベースの左側面を省略した斜視図，（ｂ）は前カバー，ターンベースの前面を省略した正面図である。図３は図２の分解斜視図である。
容器１４の後部に扉支持板１４ａが、前部に前板１３がネジにより取り付けられている。左右の払出用扉１０，１１は折曲部１０ａ，１０ｂと１１ａ，１１ｂを有し、さらにバネ係止部１０ｃと１１ｃを有している。
左右の払出用扉１０，１１の折曲部１０ａ，１０ｂと１１ａ，１１ｂの端部はは回動可能に扉支持板１４ａと前板１３に取り付けられている。コイルバネ２２の両端は上記バネ係止部１０ｃと１１ｃに係止されている。
【００１２】
左右の払出用扉１０，１１は、コイルバネ２２によって引っ張られている状態であり、その折曲部１０ａ，１０ｂと１１ａ，１１ｂの支軸を中心に回動し、水平状態では図２（ｂ）に示すように閉じた状態である。
前板１３には、前カバー１２が取り付けられており、前カバー１２の中央上部の切欠部１２ａよりメダルのストック状態を知ることができる。
容器１４の底面はターンベース１９に取り付けられ、ターンベース１９は容器支持板１５の上に搭載され支持されている。
【００１３】
容器支持板１５は、スライドベース９に取り付けられ、バネベース２０は容器支持板１５に取り付けられている。
スライドベース９にはコロを装着したボス１６，１７が植設され、このボス１６，１７のコロに払出用扉１０，１１の折曲部１０ａと１１ａの傾斜した下縁１０ｄ，１１ｄが接触している。
スライドベース９は図示しない部材に上下にスライド可能に取り付けられている。
【００１４】
ターンベース１９の前面側は、容器支持板１５の折曲部１５ａに回動可能に支持され、軸１９ａはスライドベース９に回動可能に支持されている。軸１９ａにはクランク１８が取り付けられている。
バネベース２０には、バネ２１が取り付けられ、バネ２１の両端はターンベース１９の裏面に接した状態になっている。
メダル払い出し時にはスライドベース９が上昇し、所定位置に達した後に、上記クランク１８の一端の左側面１８ａまたは右側面１８ｂを左側または右側から図示しないカムが押すことにより、図２（ａ）に示すように容器が傾斜する。
【００１５】
図４は、本発明によるメダル払い出し機構を左右に傾斜させる動作を説明するための図で、（ａ）は左側の遊技盤のフィールドに傾斜させた状態を，（ｂ）は右側の遊技盤のフィールドに傾斜させた状態をそれぞれ示している。なお、（ａ）（ｂ）ともターンベースの前面は省略されている。
（ａ）において、上述したようにクランク１８の一端の左側面１８ａをカムが押すと、軸１９ａを支点に容器１４がバネ２１の反発力に抗して左方向が下がるように傾斜する。これにより、払出用扉１０の折曲部１０ａ，１０ｂの回動軸が移動するので、折曲部１０ａの下縁１０ｄはボス１７に押され、容器１４の反時計方向の回動にしたがって払出用扉１０は、コイルバネ２２の引っ張り力に抗して折曲部１０ａ，１０ｂの回動軸を支点に時計方向に所定の角度だけ回動する。
【００１６】
容器１４の底面は、左側の遊技盤面のフィールド側に傾くとともに払出用扉１０が開くため、容器内にストックされている多数のメダルは左側の遊技盤面のフィールドに払い出される。
カムがクランク１８の一端の左側面１８ａから外れると、バネ２１の反発力により容器１４は水平位置に復帰するとともにバネ２２の引っ張り力により払出用扉１０は閉じる。
この後、容器１４にはメダルが補給される。
図４（ｂ）に示すように右側の遊技盤のフィールドに傾斜させる場合も反対方向の同様な動作によりメダルを払い出すことができる。
【００１７】
図５は、図２の機構部分が基台に配置されている状態を示す斜視図で、（ａ）は払い出されていない状態を，（ｂ）は左側の遊技盤のフィールドに払い出している状態を，（ｃ）は右側の遊技盤のフィールドに払い出している状態をそれぞれ示している。
基台２５は、左側と右側の遊技盤のフィールドの間に設置されており、スライドベース９は、メダル払い出し部分が基台２５の上部に配置されるように図示しない固定部材に上下動可能に取り付けられている。
前カバー１２の前面にはメダル払い出し案内口２４が配置され、容器の左側または右側の扉前に回転移動できるようになっている。
【００１８】
例えば、左側の遊技盤について特別入賞が発生すると、まず、スライドベース９が所定位置の高さまで上昇するとともにメダル払い出し案内口２４は左側に回転し、左側の払出用扉１０の前まで移動する。そして、（ｂ）に示すように容器１４が傾き、払出用扉１０が開くと、メダルは容器内から滑り落ち、メダル払い出し案内台２４で案内されて左側の遊技盤のフィールドに払い出される。
右側の遊技盤のフィールドに払い出す場合も（ｃ）に示すように反対方向に同様な動作が行われる。
以上の実施の形態において、メンテナンスの際にはクランク１８を手動で押し、左右の払出用扉を開閉することが可能である。
【００１９】
【発明の効果】
以上、説明したように本発明は、上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すものであって、前記遊技盤面を２個並べて配置して構成したメダル投下形プッシャマシンにおいて、前記隣設する遊技盤面のフィールドの間に設けられ、各遊技盤で特別入賞が発生したとき、発生した側の遊技盤面のフィールドに容器のメダルを払い出す機構であって、前記メダルを払い出す機構は、容器の両側面に開閉扉を有し、特別入賞が発生した側の遊技盤面のフィールド側にメダルが滑り落ちるように傾斜させるとともに滑る落ちる側の扉を開口させることにより前記特別入賞が発生した側の遊技盤面のフィールドにメダルを払い出すように構成し、前記開閉扉は、その一端が前記容器に回動可能に取り付けられ、他端側にバネが係止されて前記メダル払い出し機構が水平状態では前記バネの引っ張り力により閉じており、前記容器はスライドベースに回動可能に支持され、前記容器の傾斜により前記スライドベースに植設したピンが前記開閉扉の下縁を押すことにより前記バネに抗して開口するように構成してある。
したがって、１つのメダル払い出し機構を２個の遊技盤面で使用することができ、片側だけしか傾かない従来の機構に比較し、汎用性が高いという効果がある。
また、手動によって容器の扉を開閉することができメンテナンスの際の作業の効率が向上するという効果がある。
なお、開閉扉を閉じているバネは一定の張力を持たせてあるので、傾くか、または人の手によって開けようとしない限り、少々の揺れでは容器中のメダルが外に漏れることはない。
【図面の簡単な説明】
【図１】本発明によるメダル払い出し機構を適用した，メダル投下形プッシャマシンの実施の形態を示す図で、（ａ）は正面図，（ｂ）は側面図をそれぞれ示している。
【図２】本発明によるメダル払い出し機構の実施の形態を示す図で、（ａ）はターンベースの左側面を省略した斜視図，（ｂ）は前カバー，ターンベースの前面を省略した正面図である。
【図３】図２の分解斜視図である。
【図４】本発明によるメダル払い出し機構を左右に傾斜させる動作を説明するための図で、（ａ）は左側の遊技盤のフィールドに傾斜させた状態を，（ｂ）は右側の遊技盤のフィールドに傾斜させた状態をそれぞれ示している。
【図５】図２の機構部分が基台に配置されている状態を示す斜視図で、（ａ）は払い出されていない状態を，（ｂ）は左側の遊技盤のフィールドに払い出している状態を，（ｃ）は右側の遊技盤のフィールドに払い出している状態をそれぞれ示している。
【図６】メダル投下形プッシャマシンの遊技盤面を取り出して示した斜視図である。
【図７】遊技盤面の裏面側の斜視図である。
【図８】メダル流入機構の外観を示す斜視図である。
【符号の説明】
１…縦形遊技盤
２…メダル投入口
３…メダル補充用側面透明ドア
４…前面透明ドア
５…コインカップ
６…スピーカ
７…メダル投下形プッシャマシン
８…メダル払い出し機構
９…スライドベース
１０…左側払出用扉
１１…右側払出用扉
１２…前カバー
１３…前板
１４…容器
１５…容器支持板
１６，１７…ボス
１８…クランク
１９…ターンベース
２０…バネベース
２１…バネ
２２…コイルバネ
【図１】
0003770695.tif 000002
【図２】
0003770695.tif 000003
【図３】
0003770695.tif 000004
【図４】
0003770695.tif 000005
【図５】
0003770695.tif 000006
【図６】
0003770695.tif 000007
【図７】
0003770695.tif 000008
【図８】
0003770695.tif 000009